(57)【特許請求の範囲】
【請求項１】
ロケットのノーズフェアリングのダクト接続口に空調ダクトを分離可能に結合する装置であって、空調ダクトの外周に、ダクト接続口の周囲に設けたレバー係止部に対して回動により係脱する複数の回動レバーを備えると共に、空調ダクトの外周に巻き付けて各回動レバーをレバー係止部に係止した状態に拘束するワイヤを解放可能に備え、さらに、空調ダクトをダクト接続口から分離させる方向に付勢する分離力付与手段を備え、
レバー係止部が、円形のダクト接続口の接線方向に軸線を配置したピン状であり、回動レバーが、円形の空調ダクトの接線方向に軸線を配置した回動軸により中間部で保持してあり、且つ、一端部に、空調ダクトの中心側からレバー係止部に係脱するフック部を有すると共に、他端部に、空調ダクトの外周に巻き付けたワイヤにより押えられる受け部を有しており、
分離力付与手段の力によりワイヤ解放後に回動レバーをレバー係止部から回動離脱させることを特徴とする空調ダクトの結合分離装置。
【請求項２】
ロケットのノーズフェアリングのダクト接続口に空調ダクトを分離可能に結合する装置であって、ダクト接続口の周囲に設けたレバー係止部と、空調ダクトの外周において回動によりレバー係止部に係脱する複数の回動レバーと、空調ダクトの外周に巻き付けて各回動レバーをレバー係止部に係止した状態に拘束するワイヤと、ワイヤの両端部を拘束するワイヤロック機構と、ワイヤロック機構のワイヤ解除動作を行うロック駆動手段と、空調ダクトをダクト接続口から分離させる方向に付勢する分離力付与手段を備え、
レバー係止部が、円形のダクト接続口の接線方向に軸線を配置したピン状であり、回動レバーが、円形の空調ダクトの接線方向に軸線を配置した回動軸により中間部で保持してあり、且つ、一端部に、空調ダクトの中心側からレバー係止部に係脱するフック部を有すると共に、他端部に、空調ダクトの外周に巻き付けたワイヤにより押えられる受け部を有しており、
分離力付与手段の力によりワイヤ解放後に回動レバーをレバー係止部から回動離脱させることを特徴とする空調ダクトの結合分離装置。
【請求項３】
ワイヤが、両端部に係合部材を備えていると共に、ワイヤロック機構が、係合部材を挟持するロックレバーを回動可能に備えており、ロック駆動手段が、ワイヤ解除動作としてワイヤロック機構のロックレバーを回動させる手段であることを特徴とする請求項１または２に記載の空調ダクトの結合分離装置。
【請求項４】
ワイヤロック機構が、空調ダクトに固定したベースに、中央の固定部と、固定部に向けて互いに内側に回動して固定部との間で各係合部材をそれぞれ挟持する一対のロックレバーを備え、ロック駆動手段により、係合部材を挟持した一方のロックレバーの外側への回動を規制すると共に、回動を規制した一方のロックレバーにより、係合部材を挟持した他方のロックレバーの外側への回動を規制していることを特徴とする請求項３に記載の空調ダクトの結合分離装置。
【発明の詳細な説明】
【０００１】
【発明の属する技術分野】
本発明は、内部の空調を要する構造体に空調ダクトを分離可能に結合する装置であって、とくに、人口衛星を搭載したロケットのノーズフェアリングに対して、遠隔操作によって空調ダクトを分離し得るように結合するのに用いられる空調ダクトの結合分離装置に関するものである。
【０００２】
【従来の技術】
この種の空調ダクトは、例えば、昭和５８年４月２５日に丸善が発行した『増補版・航空宇宙工学便覧』の第１００２頁に記載されているように、ロケットの地上設備において、アンビリカル塔側からロケットの衛星搭載部などに温度調整された空気を供給し、ロケットの打ち上げとともに分離するようにしてある。
【０００３】
上記空調ダクトの結合分離装置としては、空調ダクトとロケットのダクト接続口の間に、互いに係脱する複数組のカプラを備えたものがあった。カプラは、例えば流体継手用のカプラに類似した構造を備えたものであって、空調ダクト側のプラグと、ダクト接続口側のソケットで構成してある。プラグは、ピストンを収容したシリンダに、ソケットに嵌合可能であり且つ複数のボールを保持したホルダや、ホルダを摺動可能に保持するスリーブなどを備えた構造になっており、他方、ソケットは、ボールの係合部を有している。各カプラは、プラグのホルダをソケットに嵌合すると共に、ボールをソケットの係合部に係合した状態にして、その係合状態をスリーブで保持することにより互いに結合し、ダクト接続口に接続した空調ダクトの結合状態を維持している。そして、ロケットの打ち上げの際には、各プラグ内に空気を供給することにより、ピストンに作用する圧力でシリンダおよびスリーブを移動させ、ソケットの係合部とボールの係合を解除する。これにより、ソケットからホルダが離脱して各カプラが分離状態となり、ダクト接続口から空調ダクトを分離させることとなる。
【０００４】
【発明が解決しようとする課題】
ところが、上記したようなカプラを用いた従来の空調ダクトの結合分離装置にあっては、各カプラの製造精度やその他の状況により、複数のカプラを同時に分離させるのが難しく、カプラ間で分離動作に僅かでもずれが生じると、分離時の挙動動作が大きくなってカプラ内部でのこじり等が発生し、分離動作に悪影響を与える恐れがあるという問題点があり、このような問題点を解決することが課題であった。
【０００５】
【発明の目的】
本発明は、上記従来の課題に着目して成されたもので、ロケットのノーズフェアリングのダクト接続口に空調ダクトを分離可能に結合する装置であって、小さい挙動動作で良好な分離を行うことができ、また、構造の簡略化や重量軽減なども実現することができる空調ダクトの結合分離装置を提供することを目的としている。
【０００６】
【課題を解決するための手段】
本発明に係わる空調ダクトの結合分離装置は、請求項１として、ロケットのノーズフェアリングのダクト接続口に空調ダクトを分離可能に結合する装置であって、空調ダクトの外周に、ダクト接続口の周囲に設けたレバー係止部に対して回動により係脱する複数の回動レバーを備えると共に、空調ダクトの外周に巻き付けて各回動レバーをレバー係止部に係止した状態に拘束するワイヤを解放可能に備え、さらに、空調ダクトをダクト接続口から分離させる方向に付勢する分離力付与手段を備え、レバー係止部が、円形のダクト接続口の接線方向に軸線を配置したピン状であり、回動レバーが、円形の空調ダクトの接線方向に軸線を配置した回動軸により中間部で保持してあり、且つ、一端部に、空調ダクトの中心側からレバー係止部に係脱するフック部を有すると共に、他端部に、空調ダクトの外周に巻き付けたワイヤにより押えられる受け部を有しており、分離力付与手段の力によりワイヤ解放後に回動レバーをレバー係止部から回動離脱させる構成とし、請求項２として、ロケットのノーズフェアリングのダクト接続口に空調ダクトを分離可能に結合する装置であって、ダクト接続口の周囲に設けたレバー係止部と、空調ダクトの外周において回動によりレバー係止部に係脱する複数の回動レバーと、空調ダクトの外周に巻き付けて各回動レバーをレバー係止部に係止した状態に拘束するワイヤと、ワイヤの両端部を拘束するワイヤロック機構と、ワイヤロック機構のワイヤ解除動作を行うロック駆動手段と、空調ダクトをダクト接続口から分離させる方向に付勢する分離力付与手段を備え、レバー係止部が、円形のダクト接続口の接線方向に軸線を配置したピン状であり、回動レバーが、円形の空調ダクトの接線方向に軸線を配置した回動軸により中間部で保持してあり、且つ、一端部に、空調ダクトの中心側からレバー係止部に係脱するフック部を有すると共に、他端部に、空調ダクトの外周に巻き付けたワイヤにより押えられる受け部を有しており、
分離力付与手段の力によりワイヤ解放後に回動レバーをレバー係止部から回動離脱させる構成とし、請求項３として、ワイヤが、両端部に係合部材を備えていると共に、ワイヤロック機構が、係合部材を挟持するロックレバーを回動可能に備えており、ロック駆動手段が、ワイヤ解除動作としてワイヤロック機構のロックレバーを回動させる手段である構成とし、請求項４として、ワイヤロック機構が、空調ダクトに固定したベースに、中央の固定部と、固定部に向けて互いに内側に回動して固定部との間で各係合部材をそれぞれ挟持する一対のロックレバーを備え、ロック駆動手段により、係合部材を挟持した一方のロックレバーの外側への回動を規制すると共に、回動を規制した一方のロックレバーにより、係合部材を挟持した他方のロックレバーの外側への回動を規制している構成としており、上記の構成をもって課題を解決するための手段としている。
【０００７】
【発明の作用】
本発明の請求項１に係わる空調ダクトの結合分離装置では、ダクト接続口のレバー係止部に空調ダクトの複数の回動レバーを係合させると共に、各回動レバーをワイヤで拘束することにより、ダクト接続口に接続した空調ダクトの結合状態を維持する。より具体的には、ピン状のレバー係止部に対して回動レバーの一端部のフック部を空調ダクトの中心側から係合させると共に、回動レバーの他端部の受け部をワイヤで押さえることによって各回動レバーを拘束する。そして、分離時には、ワイヤを解放することにより、同ワイヤによる各回動レバーの拘束を一斉に解除する。これにより、各回動レバーが回動自在となって、分離力付与手段の力により各回動レバーをレバー係止部から一斉に回動離脱させ、ダクト接続口から空調ダクトを分離し得ることとなる。
【０００８】
本発明の請求項２に係わる空調ダクトの結合分離装置では、ダクト接続口のレバー係止部に空調ダクトの複数の回動レバーを係合させると共に、各回動レバーをワイヤで拘束し、且つワイヤロック機構でワイヤの両端部を拘束することにより、ダクト接続口に接続した空調ダクトの結合状態を維持する。より具体的には、ピン状のレバー係止部に対して回動レバーの一端部のフック部を空調ダクトの中心側から係合させると共に、回動レバーの他端部の受け部をワイヤで押さえることによって各回動レバーを拘束する。そして、分離時には、ロック駆動手段でワイヤロック機構にワイヤ解除動作を行わせることによってワイヤを解放し、同ワイヤによる各回動レバーの拘束を一斉に解除する。これにより、各回動レバーが回動自在となって、分離力付与手段の力により各回動レバーをレバー係止部から一斉に回動離脱させ、ダクト接続口から空調ダクトを分離し得ることとなる。
【００１０】
本発明の請求項３に係わる空調ダクトの結合分離装置では、ワイヤロック機構のロックレバーでワイヤの両端部に設けた係合部材を挟持することにより、ワイヤを拘束する。また、ロック駆動手段でワイヤロック機構のロックレバーを回動させることにより、ロックレバーによるワイヤの両係合部材の挟持を解除し、これによりワイヤの両端部を同時に解放する。
【００１１】
本発明の請求項４に係わる空調ダクトの結合分離装置では、ワイヤロック機構のベース上において、中央の固定部と固定部に向けて互いに内側に回動させた一対のロックレバーとの間で両係合部材を挟持し、ロック駆動手段により一方のロックレバーの挟持状態を維持すると共に、一方のロックレバーにより他方のロックレバーの挟持状態を維持し、これによりワイヤを拘束する。また、ロック駆動手段で一方のロックレバーを外側に回動させると、一方のロックレバーによる他方のロックレバーの回動規制が解かれ、一方のロックレバーの回動に伴って他方のロックレバーがワイヤの張力により外側に回動する。つまり、１つのロック駆動手段で一対のロックレバーが同時に外側に回動して、両係合部材の挟持を解除し、これによりワイヤの両端部を同時に解放する。
【００１２】
【発明の効果】
本発明の請求項１に係わる空調ダクトの結合分離装置によれば、ロケットのノーズフェアリングのダクト接続口に空調ダクトを分離可能に結合する装置において、ダクト接続口に接続した空調ダクトの結合状態を確実に維持することができるうえに、ワイヤの解放及び分離力付与手段の力を利用して、空調ダクトを移動させながらレバー係止部と複数の回動レバーとの係合を一斉に解除することができ、小さい挙動動作でダクト接続口から空調ダクトを良好に分離させることができる。また、空気圧により作動する複数のカプラを用いていた従来の装置と比較して、構造を大幅に簡略化することができ、これにより軽量化や小型化、さらには作動の信頼性向上なども実現することができる。
【００１３】
本発明の請求項２に係わる空調ダクトの結合分離装置によれば、ロケットのノーズフェアリングのダクト接続口に空調ダクトを分離可能に結合する装置において、ダクト接続口に接続した空調ダクトの結合状態を確実に維持することができるうえに、ロック駆動手段でワイヤロック機構を作動させることにより、ワイヤの解放及び分離力付与手段の力を利用して、空調ダクトを移動させながらレバー係止部と複数の回動レバーとの係合を一斉に解除することができ、小さい挙動動作でダクト接続口から空調ダクトを良好に分離させることができる。また、空気圧により作動する複数のカプラを用いていた従来の装置と比較して、分離時の駆動源が１つのロック駆動手段だけとなるので、例えばロック駆動機構にシリンダを用いるとしても配管類を含めて構造を大幅に簡略化することができ、これにより軽量化や小型化、さらには作動の信頼性向上なども実現することができる。
【００１５】
本発明の請求項３に係わる空調ダクトの結合分離装置によれば、請求項１および２と同様の効果を得ることができるうえに、ワイヤの係合部材を挟持するロックレバーを備えたワイヤロック機構、およびロックレバーを回動させるロック駆動手段の採用により、１つのワイヤロック機構でワイヤの両端部を同時に解放することができ、ワイヤの解放に伴う各回動レバーの一斉解除動作をより円滑にすることができる。
【００１６】
本発明の請求項４に係わる空調ダクトの結合分離装置によれば、請求項３と同様の効果を得ることができるうえに、ベース、固定部および一対のロックレバーを備えたワイヤロック機構を採用し、ロック駆動手段で一方のロックレバーの回動規制を行うと共に、一方のロックレバーで他方のレバーの回動規制を行う構成としたから、１つのロック駆動手段でワイヤロック機構の一対のロックレバーを同時に回動させて、両係合部材の解放動作をより確実に同期させることができ、ワイヤの解放動作をより一層円滑にして、各回動レバーの一斉解除動作のさらなる円滑化に貢献することができる。
【００１７】
【実施例】
以下、図面に基づいて、本発明に係わる空調ダクトの結合分離装置の一実施例を説明する。
【００１８】
図１に示す構造体Ａは、ロケットのノーズフェアリングであって、内部には図示しない人工衛星等のペイロードが搭載してある。構造体Ａには、ダクト接続口Ｂが設けてあり、ロケットの打ち上げ前の段階において、アンビリカル塔側から空調ダクト１をダクト接続口Ｂに接続し、空調ダクト１から温度調整した空気が供給される。空調ダクト１は、ロケットの打ち上げの際に、遠隔操作によってダクト接続口Ｂから分離される。
【００１９】
また、ダクト接続口Ｂには、これを開閉する蓋Ｃが設けてある。この蓋Ｃは、ダクト接続口Ｂの上側にヒンジを介して取り付けてあって、下端部にロック装置Ｄが設けてあると共に、スプリングで閉じる方向に付勢してある。そして、空調ダクト１の結合時においては、図示の如く上側に跳ね上げてあり、ダクト接続口Ｂから空調ダクト１が分離すると、下側に回動してダクト接続口Ｂを閉塞し、ロック装置Ｄにより閉塞状態を維持するようになっている。
【００２０】
上記空調ダクト１の結合分離装置は、図２にも示すように、ダクト接続口Ｂの周囲に設けたレバー係止部２と、空調ダクト１の外周において回動によりレバー係止部２に係脱する複数の回動レバー３と、空調ダクト１の外周に巻き付けて各回動レバー３をレバー係止部２に係止した状態に拘束するワイヤ４と、ワイヤ４の両端部を拘束するワイヤロック機構５と、ワイヤロック機構５のワイヤ解除動作を行うロック駆動手段６を備えている。
【００２１】
ダクト接続口Ｂは、構造体Ａ側に固定したフレーム７において円形に形成してある。レバー係止部２は、円形のダクト接続口Ｂの接線方向に軸線を配置したピン状を成すと共に、フレーム７に固定したブラケット８により保持してあり、この実施例では、ダクト接続口Ｂの周囲の３か所に設けてある。
【００２２】
空調ダクト１は、ダクト接続口Ｂと同様に断面円形を成しており、３つのレバー係止部２に対応する３か所に回動レバー３を備えている。各回動レバー３は、図３にも示すように、一端部寄りに４５度程度の屈曲部を有しており、円形の空調ダクト１の接線方向に軸線を配置した回動軸９により、中間部である屈曲部において回動自在に保持されている。そして、ダクト先端側となる一端部に、空調ダクト１の中心側からレバー係止部２に係脱するフック部１０を有すると共に、他端部に、空調ダクト１の外周に巻き付けたワイヤ４により押えられる凹状の受け部１１を有している。
【００２３】
ワイヤ４は、空調ダクト１の外周長よりも一回り長いものであって、両端部に円形の係合部材１２，１２が設けてあり、係合部材１２の部分でワイヤロック機構５により拘束される。また、空調ダクト１には、巻き付けたワイヤ４を頭部で受ける調整ボルト１３が設けてある。この調整ボルト１３は、ワイヤ４の巻き付け後、空調ダクト１からの突出量が大きくなるようにねじ込み量を調整することにより、ワイヤ４を緊張状態にして所定の張力を与えるものである。この実施例では、２か所に調整ボルト１３を設けている。
【００２４】
ワイヤロック機構５は、空調ダクト１の外周に張り出すベース１４を備え、ベース１４に、中央の固定部１５と、固定部１５に向けて互いに内側に回動して固定部１５との間で各係合部材１２，１２をそれぞれ挟持する一対のロックレバー１６，１７を備えている。固定部１５は、ベース１４の基端側（ダクト側）に設けてある。また、ベース１４の先端側には、両ロックレバー１６，１７の回動規制部１８が設けてある。
【００２５】
両ロックレバー１６，１７は、各々の回動軸１９，１９によりベース１４上に回動自在に取り付けてあり、固定部１５との間で係合部材１２を挟持するための円弧部１６ａ，１７ａを有すると共に、互いに逆方向に回動させた際に当接する係止爪１６ｂ，１７ｂを有している。この実施例の係止爪１６ｂ，１７ｂは、空調ダクト１に向かって左側の一方のロックレバー１６を内側に回動させ且つ他方のロックレバー１７を外側に回動させた際に互いに当接する。そして、一方のロックレバー１６には、後記するロック駆動手段６により保持されるアーム部１６ｃが設けてある。
【００２６】
上記のワイヤロック機構５は、固定部１５と両ロックレバー１６，１７との間でワイヤ４の両係合部材１２，１２を挟持した状態において、一方のロックレバー１６のアーム部１６ｃをロック駆動手段６で保持すると共に、互いの係止爪１６ｂ，１７ｂを係合させている。つまり、ロック駆動手段６により、一方の係合部材１２を挟持した一方のロックレバー１６の外側への回動を規制すると共に、回動を規制した一方のロックレバー１６により、他方の係合部材１２を挟持した他方のロックレバー１７の外側への回動を規制している。
【００２７】
ロック駆動手段６は、空調ダクト１の外側にブラケット２０を介して回動自在に設けたロック駆動用シリンダ２１と、同シリンダ２１のシリンダロッド２２の先端に連結した保持フック２３を備えている。ロック駆動用シリンダ２１は、シリンダロッド２２を空調ダクト１の先端側に向けた状態で設けてある。保持フック２３は、その中間部に、空調ダクト１の先端側に向けて開放した略Ｕ字形の保持部２３ａを有しており、一端部をワイヤロック機構５のベース１４に回転自在に連結すると共に、他端部をシリンダロッド２２の先端部に回転自在に連結している。
【００２８】
上記のロック駆動手段６は、ロック駆動用シリンダ２１を伸長状態にして、略Ｕ字形の保持部２３ａに一方のロックレバー１６のアーム部１６ｃを係合させることにより、一方のロックレバー１６を係合部材１２の挟持位置に保持し、この一方のロックレバー１６を介して、他方のロックレバー１７をも係合部材１２の挟持位置に保持している。
【００２９】
また、空調ダクト１の結合分離装置は、空調ダクト１をダクト接続口Ｂから分離させる方向に付勢する分離力付与手段を備えている。この実施例の分離力付与手段は、空調ダクト１の外周に配置した４本のコイルばね２４である。各コイルばね２４は、その一端部を空調ダクト１の外周に設けた連結用リング２５に連結し、図示しない他端部を例えばアンビルカル塔側の固定部位に連結している。
【００３０】
さらに、空調ダクト１は、先端部に風止板２６を突没可能に備えている。この風止板２６は、空調ダクト１の先端部を開閉すると共に、空気供給時には、構造体Ａ内のペイロードに供給空気が直接吹き掛けられるのを防ぐものであって、空調ダクト１内に支持部材２７を介して取り付けた風止板駆動用シリンダ２８によって進退駆動される。
【００３１】
上記の構成を備えた空調ダクト１の結合分離装置は、構造体Ａのダクト接続口Ｂに空調ダクト１を接続すると共に、各レバー係止部２に各回動レバー３のフック部１０を係合させて、各回動レバー３の他端側を空調ダクト１の外周に添わせた状態にし、空調ダクト１の外周に巻き付けたワイヤ４で各回動レバー３の受け部を１１を押さえることにより各回動レバー３を拘束する。そして、ワイヤ４の両端部をワイヤロック機構５で挟持し、その挟持状態をロック駆動手段６で保持することにより、ダクト接続口Ｂに接続した空調ダクト１の結合状態を維持している。この状態で、空調ダクト１は、風止板２６を構造体Ａ内に突出させ、構造体Ａ内に空気を供給する。
【００３２】
次に、当該結合分離装置は、ロケットの打ち上げの際に、ダクト接続口Ｂから空調ダクト１を分離させるには、図４に示すように、風止板２６を空調ダクト１内に後退させて、空調ダクト１の先端部を閉塞した後、ロック駆動手段６におけるロック駆動用シリンダ２１を収縮駆動させる。
【００３３】
ロック駆動用シリンダ２１が収縮駆動すると、図５に示す如く保持フック２３が回動するのに伴って、同保持フック２３の保持部２３ａによる一方のロックレバー１６のアーム部１６ｃの保持が解除される。アーム部１６ｃの保持が解除されると、一方のロックレバー１６の外側への回動規制が解除され、これに伴って他方のロックレバー１７の外側への回動規制も解除され、しかもワイヤ４には所定の張力が与えられているので、図６に示すように、両ロックレバー１６，１７が同時に外側に回動し、固定部１５との間による両係合部材１２，１２の挟持を同時に解除する。これによりワイヤ４が解放される。
【００３４】
上記の如くワイヤ４が解放されると、空調ダクト１には分離力付与手段であるコイルばね２４によって常に分離方向の力が加えられているので、図７に示すように、ワイヤ４により拘束されていた各回動レバー３がその他端部側を跳ね上げるように一斉に回動し、これにより各回動レバー３のフック部１０が各レバー係止部２から一斉に離脱し、ダクト接続口Ｂから空調ダクト１が分離する。こののち、空調ダクト１は、コイルばね２４の作用により、ダクト接続口Ｂから完全に離間する。
【００３５】
このように、上記実施例で説明した空調ダクト１の結合分離装置では、ダクト接続口Ｂに接続した空調ダクト１の結合状態を確実に維持し得るうえに、分離時には、１つのロック駆動手段６を作動させるだけでワイヤ４を解放し、レバー係止部２と回動レバー３による複数の係合を同時に解除することができ、小さい挙動動作でダクト接続口Ｂから空調ダクト１を良好に且つ速やかに分離し得るものとなっている。
【００３６】
また、当該結合分離装置は、空気圧により作動する複数のカプラを用いていた従来の装置と比較すると、分離時の駆動源が１つのロック駆動手段６だけとなるので、ロック駆動用シリンダ２１への配管類を含めても構造が大幅に簡略化されたものとなり、軽量で小型の装置となっている。
【００３７】
さらに、当該結合分離装置は、固定部１５と一対のロックレバー１６，１７を備えたワイヤロック機構５を採用し、ワイヤロック機構５でワイヤ４の両端部に設けた係合部材１２を挟持し、ロック駆動手段６で一方のロックレバー１６の回動規制を行うと共に、一方のロックレバー１６で他方のレバー１７の回動規制を行うようにしたことにより、分離時には、１つのロック駆動手段６で一対のロックレバー１６，１７を同時に回動させて、両係合部材１２，１２の解放動作を確実に同期させ、ワイヤ４の解放動作をより一層円滑なものにしている。
【図面の簡単な説明】
【図１】  本発明に係わる空調ダクトの結合分離装置の一実施例を説明する結合状態での部分破断側面図である。
【図２】  図１に示す空調ダクトの要部の断面図である。
【図３】  結合時における回動レバーおよびワイヤを説明する側面図である
【図４】  風止板を後退させた状態を示す部分破断側面図である。
【図５】  ロック駆動手段を作動させた状態を示す部分破断側面図である。
【図６】  ワイヤを解放した状態を示すワイヤロック機構の平面図である。
【図７】  空調ダクトを分離した状態を示す部分破断側面図である。
【符号の説明】
Ａ      構造体（ノーズフェアリング）
Ｂ      ダクト接続口
１      空調ダクト
２      レバー係止部
３      回動レバー
４      ワイヤ
５      ワイヤロック機構
６      ロック駆動手段
１０    フック部
１１    受け部
１２    係合部材
１４    ベース
１５    固定部
１６    一方のロックレバー
１７    他方のロックレバー
２４    コイルばね（分離力付与手段）
【図１】
0004197064.tif 000002
【図２】
0004197064.tif 000003
【図３】
0004197064.tif 000004
【図４】
0004197064.tif 000005
【図５】
0004197064.tif 000006
【図６】
0004197064.tif 000007
【図７】
0004197064.tif 000008